(57)【要約】【課題】画像表示装置の設置位置を動かしたりして画像信号が入力されるケーブル等が画像表示装置から外れる等によって画像信号の入力がなくなったときに、ブルーバックや予め記憶されている所定の画像を表示させるのではなく、入力がなくなる前に画像表示装置に表示させていた画像を表示させたい場合がある。【解決手段】外部から入力される画像信号を表示する表示手段と、前記入力された画像信号を記憶する記憶手段と、前記表示手段に出力する前記画像信号を前記外部から入力された画像信号と、前記記憶手段に記憶された画像信号とに切換える切換手段を備えたことを特徴とする。【選択図】        図２
2007256611.tif 000002
【特許請求の範囲】
【請求項１】
外部から入力される画像信号に応じて画像を表示する表示手段と、
前記入力された画像信号を記憶する記憶手段と、
前記表示手段に出力する前記画像信号を前記外部から入力された画像信号と、前記記憶手段に記憶された画像信号とで切換える切換手段を備えたことを特徴とする画像表示装置。
【請求項２】
前記外部から入力される画像信号の入力の有無を検出する画像信号検出手段を備え、
前記切換手段は、前記画像信号検出手段が画像信号の入力の有無を検出しなくなったときに、前記表示手段への出力を前記記憶手段に記憶された画像信号に切換えることを特徴とする請求項１記載の画像表示装置。
【請求項３】
前記画像信号検出手段は、画像信号に含まれる同期信号を検出することにより画像信号の入力の有無を検出するものであることを特徴とする請求項２記載の画像表示装置。
【請求項４】
前記切換手段は、前記外部から入力された画像信号から前記記憶手段に記憶されている画像信号に切換える指示である第一指示が入力されたときに、前記表示手段への出力を前記記憶手段に記憶されている前記画像信号に切換えることを特徴とする請求項１から請求項３のいずれかに記載の画像表示装置。
【請求項５】
前記外部から画像信号が搬送されるケーブルのコネクタが接続されるコネクタ接続手段と、
前記コネクタ接続手段と前記コネクタとの接続を検出するコネクタ検出手段とを備え、
前記切換手段は、前記コネクタ検出手段により前記コネクタの接続が検出されなくなったときに、前記表示手段への出力を前記記憶手段に記憶されている画像信号に切換えることを特徴とする請求項１から請求項４のいずれかに記載の画像表示装置。
【請求項６】
前記外部から入力される画像信号はパーソナルコンピュータから入力される画像信号であって、
前記パーソナルコンピュータのスクリーンセーバの起動を検出するスクリーンセーバ起動検出手段を備え、
前記切換手段は、前記スクリーンセーバ起動検出手段が前記スクリーンセーバの起動を検出したときに、前記表示手段への出力を前記記憶手段に記憶されている画像信号に切換えることを特徴とする請求項１から請求項５のいずれかに記載の画像表示装置。
【請求項７】
前記スクリーンセーバの起動時の画像信号を記憶する不揮発性のスクリーンセーバ記憶手段を備え、
前記スクリーンセーバ起動検出手段は、前記スクリーンセーバ記憶手段に記憶された画像信号と前記外部から入力された画像信号とが一致する場合に、前記スクリーンセーバの起動を検出することを特徴とする請求項６記載の画像表示装置。
【請求項８】
前記外部から入力された画像信号を前記表示手段へ出力し続けるモードに切換えるモード切換手段を備えたことを特徴とする請求項１から請求項７のいずれかに記載の画像表示装置。
【請求項９】
前記記憶手段に記憶されている画像信号が前記表示手段へ出力されている場合において、本体に設けられた複数の操作ボタン若しくはリモコンに設けられた複数の操作ボタンのいずれかが押下されたときに、
前記モード切替手段は、前記モードに切換えることを特徴とする請求項８記載の画像表示装置。
【請求項１０】
前記記憶手段は、前記外部から入力された画像信号を順次記憶することを特徴とする請求項１から請求項９のいずれかに記載の画像表示装置。
【請求項１１】
前記記憶手段は、少なくとも一フレーム分の間隔を空けたタイミングで前記外部から入力された画像信号を順次記憶することを特徴とする請求項１から請求項９のいずれかに記載の画像表示装置。
【請求項１２】
前記記憶手段は、外部から最初に入力された一フレーム分の画像信号を記憶することを特徴とする請求項１から請求項９のいずれかに記載の画像表示装置。
【請求項１３】
前記記憶手段は、前記外部から入力された画像信号を記憶する指示である第二指示が入力されたときに、前記外部から入力された画像信号を前記記憶手段に記憶させることを特徴とする請求項１から請求項９のいずれかに記載の画像表示装置。
【請求項１４】
前記記憶手段は、複数フレームの画像信号を記憶することを特徴とする請求項１から請求項１３のいずれかに記載の画像表示装置。
【請求項１５】
前記表示手段が前記記憶手段に記憶された画像信号に応じて出力しているときに、前記記憶手段に記憶された複数フレームの内からいずれのフレームの画像信号を前記表示手段に出力するかを選択する選択手段を備えたことを特徴とする請求項１３記載の画像表示装置。
【請求項１６】
前記記憶手段は不揮発性の記憶手段であり、
前記記憶手段に記憶された前記画像信号を消去する消去手段を備えたことを特徴とする請求項１から請求項１５のいずれかに記載の画像表示装置。
【発明の詳細な説明】
【技術分野】
【０００１】
本発明は、画像表示装置に関するものである。
【背景技術】
【０００２】
従来、テレビ、ＣＲＴディスプレイ、液晶ディスプレイ、プラズマディスプレイ、プロジェクタ等の画像信号を表示する画像表示装置においては、画像信号の入力がなくなったときにブルーバックと呼ばれる全面青色の画面に表示を切換えることが知られている。図７に従来の画像表示装置にて画像信号がなくなったときに出力される画像の一例を示す。特許文献１にはこれに加え、画像信号の入力がなくなったときに画像表示装置のメモリに予め記憶させておいた所定の画像を表示させることが記載されている。
【０００３】
【特許文献１】特開２００３−２０２８５１号公報
【発明の開示】
【発明が解決しようとする課題】
【０００４】
しかしながら、画像表示装置の設置位置を動かしたりして画像信号が入力されるケーブル等が画像表示装置から外れる等によって画像信号の入力がなくなったときに、ブルーバックや予め記憶されている所定の画像を表示させるのではなく、入力がなくなる前に画像表示装置に表示させていた画像を表示させたい場合がある。
【０００５】
例えばプロジェクタによりプレゼン発表等を行なっているときは、使用者がＰＣやプロジェクタ本体の設置位置を動かすことによってケーブルが一時的に切断されたり、ＰＣのスクリーンセーバが起動したりして、表示内容が変わってしまうと使用者は円滑に発表を行なうことができない。このような場合、利用者はケーブルをつなぎなおしたり、マウス等を操作してスクリーンセーバ等の起動を解除するなどしたりする必要があり、煩わしかった。
【０００６】
本発明は、上述した問題点を解決するためになされたものであり、出力したい画像信号の入力がなくなったとしても、その入力がなくなる前の画像信号を表示できる画像表示装置を提供することを目的とする。
【課題を解決するための手段】
【０００７】
上記目的を達成するために、請求項１記載の画像表示装置は、外部から入力される画像信号に応じて画像を表示する表示手段と、前記入力された画像信号を記憶する記憶手段と、前記表示手段に出力する前記画像信号を前記外部から入力された画像信号と、前記記憶手段に記憶された画像信号とで切換える切換手段を備えたことを特徴とする。
【０００８】
また、請求項２記載の画像表示装置は、請求項１記載の画像表示装置であって、前記外部から入力される画像信号の入力の有無を検出する画像信号検出手段を備え、前記切換手段は、前記画像信号検出手段が画像信号の入力の有無を検出しなくなったときに、前記表示手段への出力を前記記憶手段に記憶された画像信号に切換えることを特徴とする。
【０００９】
また、請求項３記載の画像表示装置は、請求項２記載の画像表示装置であって、前記画像信号検出手段は、画像信号に含まれる同期信号を検出することにより画像信号の入力の有無を検出するものであることを特徴とする。
【００１０】
また、請求項４記載の画像表示装置は、請求項１から請求項３のいずれかに記載の画像表示装置であって、前記切換手段は、前記外部から入力された画像信号から前記記憶手段に記憶されている画像信号に切換える指示である第一指示が入力されたときに、前記表示手段への出力を前記記憶手段に記憶されている前記画像信号に切換えることを特徴とする。
【００１１】
また、請求項５記載の画像表示装置は、請求項１から請求項４のいずれかに記載の画像表示装置であって、前記外部から画像信号が搬送されるケーブルのコネクタが接続されるコネクタ接続手段と、前記コネクタ接続手段と前記コネクタとの接続を検出するコネクタ検出手段とを備え、前記切換手段は、前記コネクタ検出手段により前記コネクタの接続が検出されなくなったときに、前記表示手段への出力を前記記憶手段に記憶されている画像信号に切換えることを特徴とする。
【００１２】
また、請求項６記載の画像表示装置は、請求項１から請求項５のいずれかに記載の画像表示装置であって、前記外部から入力される画像信号はパーソナルコンピュータから入力される画像信号であって、前記パーソナルコンピュータのスクリーンセーバの起動を検出するスクリーンセーバ起動検出手段を備え、前記切換手段は、前記スクリーンセーバ起動検出手段が前記スクリーンセーバの起動を検出したときに、前記表示手段への出力を前記記憶手段に記憶されている画像信号に切換えることを特徴とする。
【００１３】
また、請求項７記載の画像表示装置は、請求項６記載の画像表示装置であって、前記スクリーンセーバの起動時の画像信号を記憶する不揮発性のスクリーンセーバ記憶手段を備え、前記スクリーンセーバ起動検出手段は、前記スクリーンセーバ記憶手段に記憶された画像信号と前記外部から入力された画像信号とが一致する場合に、前記スクリーンセーバの起動を検出することを特徴とする。
【００１４】
また、請求項８記載の画像表示装置は、請求項１から請求項７のいずれかに記載の画像表示装置であって、前記外部から入力された画像信号を前記表示手段へ出力し続けるモードに切換えるモード切換手段を備えたことを特徴とする。
【００１５】
また、請求項９記載の画像表示装置は、請求項８記載の画像表示装置であって、前記記憶手段に記憶されている画像信号が前記表示手段へ出力されている場合において、本体に設けられた複数の操作ボタン若しくはリモコンに設けられた複数の操作ボタンのいずれかが押下されたときに、前記モード切替手段は、前記モードに切換えることを特徴とする記載の画像表示装置。
【００１６】
また、請求項１０記載の画像表示装置は、請求項１から請求項９のいずれかに記載の画像表示装置であって、前記記憶手段は、前記外部から入力された画像信号を順次記憶することを特徴とする。
【００１７】
また、請求項１１記載の画像表示装置は、請求項１から請求項９のいずれかに記載の画像表示装置であって、前記記憶手段は、少なくとも一フレーム分の間隔を空けたタイミングで前記外部から入力された画像信号を順次記憶することを特徴とする。
【００１８】
また、請求項１２記載の画像表示装置は、請求項１から請求項９のいずれかに記載の画像表示装置であって、前記記憶手段は、外部から最初に入力された一フレーム分の画像信号を記憶することを特徴とする。
【００１９】
また、請求項１３記載の画像表示装置は、請求項１から請求項９のいずれかに記載の画像表示装置であって、前記記憶手段は、前記外部から入力された画像信号を記憶する指示である第二指示が入力されたときに、前記外部から入力された画像信号を前記記憶手段に記憶させることを特徴とする。
【００２０】
また、請求項１４記載の画像表示装置は、請求項１から請求項１３のいずれかに記載の画像表示装置であって、前記記憶手段は、複数フレームの画像信号を記憶することを特徴とする。
【００２１】
また、請求項１５記載の画像表示装置は、請求項１３記載の画像表示装置であって、前記表示手段が前記記憶手段に記憶された画像信号に応じて出力しているときに、前記記憶手段に記憶された複数フレームの内からいずれのフレームの画像信号を前記表示手段に出力するかを選択する選択手段を備えたことを特徴とする。
【００２２】
また、請求項１６記載の画像表示装置は、請求項１から請求項１５のいずれかに記載の画像表示装置であって、前記記憶手段は不揮発性の記憶手段であり、前記記憶手段に記憶された前記画像信号を消去する消去手段を備えたことを特徴とする。
【発明の効果】
【００２３】
請求項１記載の発明によれば、表示手段で出力したい画像信号の入力がなくなったとしても、その入力がなくなる前の画像信号が記憶手段に記憶されているので、出力したい画像信号を記憶手段に記憶されている画像信号に応じて出力できる。
【００２４】
また、請求項２記載の発明によれば、請求項１記載の発明が奏する効果に加え、画像信号の入力がなくなったときに、自動的に前記記憶手段に記憶された画像信号が出力されるので、違和感の無い画像表示を続けられる。
【００２５】
また、請求項３記載の発明によれば、請求項２記載の発明が奏する効果に加え、同期信号の検出によって画像信号の入力の有無を検出するので、より簡単且つ精度よく画像信号の入力の有無を検出できる。
【００２６】
また、請求項４記載の発明によれば、請求項１から請求項３のいずれかに記載の発明が奏する効果に加え、使用者は好きなタイミングで第一指示を入力することにより、記憶手段に記憶された画像信号に応じた出力に切換えることができる。例えば、画像信号の入力のためのケーブルのコネクタが一時的に切断されたときに、使用者は第一指示を入力することにより表示を切換えることができるので、ケーブルが切断されたとしてもプレゼンを円滑に続けることができる。
【００２７】
また、請求項５記載の発明によれば、請求項１から請求項４のいずれかに記載の発明が奏する効果に加え、ケーブルのコネクタが切断されたことが検知されると、自動的に表示手段で出力される画像信号が切換えられる。
【００２８】
また、請求項６記載の発明によれば、請求項１から請求項５のいずれかに記載の発明が奏する効果に加え、パーソナルコンピュータのスクリーンセーバが使用者の意図しないタイミングで起動したときでも、自動的に表示手段で出力される画像信号が切換えられる。
【００２９】
また、請求項７記載の発明によれば、請求項６記載の発明が奏する効果に加え、スクリーンセーバ起動検出手段が、スクリーンセーバ記憶手段に記憶された画像信号と外部から入力された画像信号とが一致する場合に、スクリーンセーバの起動を検出するので、容易にスクリーンセーバの起動が検知でき、パーソナルコンピュータのスクリーンセーバが使用者の意図しないタイミングで起動したときでも、自動的に表示手段で出力される画像信号が切換えられる。
【００３０】
また、請求項８記載の発明によれば、請求項１から請求項７のいずれかに記載の発明が奏する効果に加え、前記外部から入力された画像信号を前記表示手段へ出力し続けるモードに切換えることができる。
【００３１】
また、請求項９記載の発明によれば、請求項８記載の発明が奏する効果に加え、複数の操作ボタンのうちいずれかが押下されたときに、前記外部から入力された画像信号を前記表示手段へ出力し続けるモードに切換えることができる。
【００３２】
また、請求項１０記載の発明によれば、請求項１から請求項９のいずれかに記載の発明が奏する効果に加え、前記記憶手段は前記外部から入力された画像信号を順次記憶するので、最新の画像信号に切換えることができる。
【００３３】
また、請求項１１記載の発明によれば、請求項１から請求項９のいずれかに記載の発明が奏する効果に加え、少なくとも一フレーム分の間隔を空けたタイミングで画像信号が順次記憶手段に記憶される。すなわち、毎回画像信号が記憶手段に記憶されるわけではなく、記憶手段に記憶される画像信号は少なくとも一フレーム分の間隔を空けて間引かれるので、請求項１０の発明に比べ処理の負荷が軽くなる。
【００３４】
また、請求項１２記載の発明によれば、請求項１から請求項９のいずれかに記載の発明が奏する効果に加え、外部から入力された最初の画像信号に応じた出力に切換えることができる。
【００３５】
また、請求項１３記載の発明によれば、請求項１から請求項９のいずれかに記載の発明が奏する効果に加え、使用者が前記記憶手段に記憶させたい画像を第二指示の入力により指定することができる。このため、使用者が指定した画像信号の出力に切換えることができる。
【００３６】
また、請求項１４記載の発明によれば、請求項１から請求項１０のいずれかに記載の発明が奏する効果に加え、記憶手段は複数フレームの画像信号を記憶するので、一フレーム分の画像信号を記憶手段が記憶している最中に、画像信号の入力がなくなることによって、不完全な形で画像信号が記憶されてしまったとしても、一つ前に記憶された画像信号は完全な形で記憶されているため、その画像信号に応じた出力に切換えることができる。
【００３７】
また、請求項１５記載の発明によれば、請求項１１記載の発明が奏する効果に加え、記憶手段に記憶されている複数フレームの中からいずれのフレームの画像信号を表示させるかを選択することができる。
【００３８】
また、請求項１６記載の発明によれば、請求項１から請求項１５のいずれかに記載の発明が奏する効果に加え、記憶手段が不揮発性の記憶手段である場合に、消去手段により記憶手段に記憶された画像信号を消去することができる。
【発明を実施するための最良の形態】
【００３９】
以下、本発明の実施の形態について図面を参照して説明する。図１は本発明の実施形態であるプロジェクタ１の斜視図である。図１に示すように、プロジェクタ１の正面には画像を投影するためのレンズ２が突出して設けられている。
【００４０】
図２はプロジェクタ１の電気的構成を示すブロック図である。プロジェクタ１には画像信号入力部１０、同期信号検出部２０、メモリ３０、マイコン４０、表示部５０、画像信号コネクタ検出スイッチ６０、操作ボタン７０、画像切換部８０が備えられている。
【００４１】
画像信号入力部１０には外部からアナログ信号である画像信号が入力される。ここで画像信号について説明する。図３は画像信号（複合映像信号）の波形を模式的に示した模式図である。図示したように、画像信号は画像信号部と同期信号部とを備える。同期信号は垂直同期信号と水平同期信号とに大別され、水平同期信号の周期よりも長い一定の周期で垂直同期信号が存在する。隣り合う水平同期信号部の間には１ライン分の輝度信号（カラー信号の場合は、赤色、緑色、青色各色の輝度信号）を乗せた画像信号部が存在する。
【００４２】
画像信号が入力されると画像信号入力部１０は入力された画像信号をＡ／Ｄ変換し、Ａ／Ｄ変換した画像信号をメモリ３０及びマイコン４０に出力する。また、画像信号入力部１０は入力された画像信号から垂直同期信号及び水平同期信号を抽出し、この垂直同期信号と水平同期信号とを同期信号検出部２０に出力する。同期信号検出部２０は同期信号を検出しているときは、画像信号を検出中であることを示す信号をマイコン４０に出力する。同期信号検出部２０は同期信号が検出しなくなったときは、検出中であることを示す信号の出力を中止する。画像信号入力部１０から同期信号検出部２０へ出力される同期信号の波形を図４に示す。図４に示すように同期信号検出部２０へ出力される同期信号は垂直同期信号Ｖと水平同期信号Ｈである。
【００４３】
メモリ３０は所定フレーム分の画像信号を記憶するＦｉＦｏ（Ｆｉｒｓｔ Ｉｎ Ｆｉｒｓｔ Ｏｕｔの略で、一例としてはフィールドメモリやフレームメモリ）である。メモリ３０はマイコン４０から受信しているライトイネーブル信号がＨｉの場合に、画像信号入力部１０から入力された画像信号を記憶する。マイコン４０は、前記検出された同期信号つまり垂直同期信号及び水平同期信号に基づいて、メモリ３０にライトイネーブル信号やリードイネーブル信号等のメモリ制御信号を送り、メモリ３０が所定のタイミングで画像信号を記憶したり、読み出したりするよう制御している。
【００４４】
また、メモリ３０は後述するようにマイコン４０から送られてくる画像信号制御信号に制御されて指定されたアドレスに記憶されている画像信号を順次、画像切換部８０に出力する。画像切換部８０は、画像信号入力部１０から出力される画像信号とメモリ３０から出力される画像信号とをマイコン４０から送られてくる制御信号によって選択し表示部５０へ出力する。
【００４５】
表示部５０は画像切換部８０から入力された画像信号に応じた画像を表示する。
【００４６】
同期信号検出部２０は画像信号入力部１０から入力された同期信号を、例えば、各同期信号間の周期が所定の時間であるか否かに基づいて検出し、その検出結果に基づいて画像信号が入力されているか否かを示す入力確認信号をマイコン４０へ送信する。この入力確認信号はＨｉの時は画像信号が入力されていることを示し、Ｌｏｗの時は画像信号が入力されていないことを示す。
【００４７】
画像信号コネクタ検出スイッチ６０は、外部から画像信号が搬送されるケーブルのコネクタが、画像信号入力部１０内の入力端子に接続されているか否かを検出する。画像信号コネクタ検出スイッチ６０はコネクタが接続されているか否かを示す信号をマイコン４０に送信する。最近では、入力端子にコネクタの接続を検出できるスイッチが内蔵されたものがあり、それを使用すれば容易に実施できる。
【００４８】
操作ボタン７０はプロジェクタ１の筐体の表面に設けられており、プロジェクタ１の各種操作を行なうためのボタンである。操作ボタン７０は利用者により押下されると、それを示す信号をマイコン４０に送信する。
【００４９】
マイコン４０には図示しないＣＰＵ、ＲＯＭ、ＲＡＭ等が内蔵されている。マイコン４０には更に不揮発性のＲＯＭが内蔵されており、スクリーンセーバが起動したときに出力されるスクリーンセーバ画像の判別用の画像信号のパターンが１フレーム分記憶されている。登録されているスクリーンセーバのパターンを追加や書き換え記憶させられるため、より精度よくスクリーンセーバの起動を検出できる。
【００５０】
次にマイコン４０を中心として制御されるプロジェクタ１の動作を説明する。図５はプロジェクタ１の動作を説明するフローチャートである。
【００５１】
図示しない電源ボタンが押下されると図５のフローが開始され、まず起動処理を実行する（Ｓ１００）。
【００５２】
次にマイコン４０はコネクタが接続されているか否かを、画像信号コネクタ検出スイッチ６０から入力される信号に基づいて判断する（Ｓ１０１）。コネクタが接続されていないと判断した場合は（Ｓ１０１：Ｎｏ）、後述するＳ１０４へ進む。
【００５３】
コネクタが接続されていると判断した場合は（Ｓ１０１：Ｙｅｓ）、同期信号検出部２０から入力される入力確認信号に基づいて、画像信号が入力されているか否かを判断する（Ｓ１０２）。
【００５４】
画像信号が入力されていない場合は（Ｓ１０２：Ｎｏ）、後述のＳ１０４へ進む。画像信号が入力されている場合は（Ｓ１０２：Ｙｅｓ）、スクリーンセーバが起動中であるか否かを判断する（Ｓ１０３）。
【００５５】
ここでスクリーンセーバが起動中であるか否かは、別のルーチンで、マイコン４０に内蔵されたＲＡＭに記憶された所定パターンの画像信号と、画像信号入力部１０から入力された画像信号とを比較して一致するか否かで判断される。そのときスクリーンセーバが起動中であると判断した場合はＲＡＭにスクリーンセーバが起動中であることを示すフラグを立てる。Ｓ１０３では、このフラグが立っているか否かを判断する。マイコン４０は、ＲＡＭに記憶された所定パターンの画像信号と、画像信号入力部１０から入力された画像信号とが、ほとんど一致した場合はスクリーンセーバが起動したと判断する。
【００５６】
スクリーンセーバが起動中でないと判断した場合は（Ｓ１０３：Ｎｏ）、メモリ３０に出力するライトイネーブル信号をＨｉにして、メモリ３０を書換え可能状態にし、入力されている画像信号をメモリ３０に書き込み、マイコン４０は画像切換部８０に最新の画像信号が表示部５０へ出力されるよう制御信号を送る（Ｓ１０６）。画像切換部８０はその制御信号を受け表示部５０へ最新の画像信号を出力する（Ｓ１１０）。これにより、表示部５０からは最新の画像信号に応じた画像の表示が実行される（Ｓ１１１）。
【００５７】
次に図示しない電源ボタンが押下されて電源がＯＦＦされるか否かを判断する（Ｓ１１２）。電源ＯＦＦでない場合は（Ｓ１１２：Ｎｏ）、Ｓ１０１へ戻る。
【００５８】
電源ＯＦＦの場合は（Ｓ１１２：Ｙｅｓ）、終了処理を実行し（Ｓ１１３）電源がＯＦＦされる。
【００５９】
コネクタが接続されていないと判断した場合（Ｓ１０１：Ｎｏ）、画像信号が入力されていないと判断した場合（Ｓ１０２：Ｎｏ）、及び、スクリーンセーバが起動中であると判断した場合（Ｓ１０３：Ｙｅｓ）は、外部出力モードが設定されているか否かを判断する（Ｓ１０４）。ここで外部出力モードとは、コネクタが切断されていたり、画像信号が入力されていなかったり、スクリーンセーバが起動されていたりしたとしても、外部から入力された画像信号に応じて表示部５０に出力させ続けるモードのことである。
【００６０】
外部出力モードは、例えば、メモリ３０に記憶されている画像信号に応じて、表示部が画像を出力している場合おいて、操作ボタン７０のうちいずれかが操作されたときに設定されるものとする。外部出力モードが設定されている場合は（Ｓ１０４：Ｙｅｓ）、Ｓ１０６へ進む。
【００６１】
外部出力モードが設定されていない場合は（Ｓ１０４：Ｎｏ）、マイコン４０は複数フレームの画像が記憶されていないか、複数フレームの画像が記憶されても表示画像の選択指示が無ければ（Ｓ１０５：Ｎｏ）、リードイネーブル信号をＬｏｗにして、メモリ３０を読み出し可能状態にするとともに記憶させていた所定の画像のアドレスをメモリ３０へ出力し、画像切換部８０に記憶していた所定の画像の画像信号を出力させる（Ｓ１０７）。
【００６２】
Ｓ１０５において、表示画像の選択指示がある場合は（Ｓ１０５：Ｙｅｓ）、メモリ３０を読み出し可能状態にするとともに、選択指示された画像のアドレスをメモリ３０へ出力し、選択指示された画像の画像信号を出力させる（Ｓ１０８）。
【００６３】
Ｓ１０７、Ｓ１０８のステップ後、マイコン４０は、メモリ３０の出力画像信号を表示部５０へ出力するよう制御信号を画像切換部８０へ送り、画像切換部８０は其の制御信号を受けメモリ３０から出力された画像信号を表示部に出力する（Ｓ１０９）。これにより、表示部５０からはメモリ３０から読み出された画像信号に応じた画像の表示が実行される（Ｓ１１１）。
【００６４】
尚、上記実施例は、これは一例であり、種々の実施形態があることは言うまでもない。
例えば、Ｓ１０６で書き込んだ画像信号の書き換え（消去）方に関しては、メモリ容量と表示画像の選択指示仕様等で異なるが、例えば、直前の１フレームを記憶させる場合だと、１フレーム前の画像信号を最新（直前）の画像信号に書き換えるようマイコン４０によって制御することで実施できる。
【００６５】
このように、プロジェクタ１によれば、例えば、外部から画像信号の入力がなくなったとしても（Ｓ１０２参照）、図６に示すように、メモリ３０に記憶された画像信号に応じて表示部５０に画像を出力することができる。
【００６６】
本実施形態において、表示部５０が本発明の表示手段に相当する。また、メモリ３０が本発明の記憶手段に相当する。また、マイコン４０及び画像切換部８０が切換手段に相当する。また、同期信号検出部２０が画像信号検出手段に相当する。画像信号コネクタ検出スイッチ６０が本発明のコネクタ検出手段に相当する。また、Ｓ１０４でスクリーンセーバの起動を判断するマイコン４０がスクリーンセーバ起動検出手段に相当する。また、表示部が画像を出力している場合における操作ボタン７０がモード切換手段に相当する。
【００６７】
尚、上述の実施形態で、同期信号検出部２０が検出する同期信号は、垂直同期信号でも水平同期信号でもよい。あるいは、垂直同期信号と水平同期信号との両方を検出しても良い、一般的には、検出時間が短くて済む等の理由で水平同期信号を検出することで画像信号の入力の有無を判断する場合が多い。また、同期信号の有無を検出する方法として、水平同期信号にＰＬＬ回路で同期させられるか否かで同期信号の有無を判断する手段もよく用いられている。また、その他の信号、例えば図３等の画像信号部を検出することによって画像信号の入力の有無が判断されても良い。
【００６８】
また、上述の実施形態では、マイコン４０のＲＯＭに記憶された所定の画像信号と、入力された画像信号とを比較し、それらが略一致した場合に、スクリーンセーバが起動されたと判断したが、複数フレームの間ほとんど同じような画像信号が入力された場合にスクリーンセーバが起動されたものとして判断するようにしても良い。
【００６９】
また、上述の実施形態では、ライトイネーブル信号がＨｉの時には、メモリ３０は入力された画像信号を順次記憶するものとして説明したが、数フレーム分の間隔を空けたタイミングの１フレーム分の画像信号を記憶するようにしても良い。毎回画像信号がメモリ３０に記憶されるわけではなく、処理の負荷が軽くなる。また、例えば、画像を記憶するタイミングを指示する指示ボタンを操作ボタン７０として設け、この指示ボタンが押下されたときの画像信号をメモリ３０に記憶するようにしても良い。また、例えば、画像信号入力部１０に入力された最初の画像信号だけを記憶するようにしても良い。
【００７０】
また、上述の実施形態ではメモリ３０はＦｉＦｏであるとして説明したが、ビデオＲＡＭや高速のＤ−ＲＡＭであってもよい。また、不揮発性のメモリを別途設け、入力が無い場合の画像信号を長期間使用できる様にしてもよいし、スクリーンセーバ判別用の画像を利用するスクリーンセーバ毎に追加編集削除できる様にしてもよい。この場合、セキュリティの観点から記憶した画像信号を消去する消去手段を設けることが望ましい。
【図面の簡単な説明】
【００７１】
【図１】プロジェクタ１の斜視図。
【図２】プロジェクタ１の電気的構成を示すブロック図。
【図３】画像信号の波形を模式的に示した模式図。
【図４】同期信号検出部２０へ出力される同期信号の波形を模式的に示した模式図。
【図５】プロジェクタ１の動作を説明するフローチャート
【図６】本実施形態における外部から画像信号の入力がなくなったときに出力される画像の一例。
【図７】従来技術における外部から画像信号の入力がなくなったときに出力される画像の一例。
【符号の説明】
【００７２】
１  プロジェクタ
２  レンズ
１０  画像信号入力部
２０  同期信号検出部
３０  メモリ
４０  マイコン
５０  表示部
６０  画像信号コネクタ検出スイッチ
７０  操作ボタン
８０  画像切換部
【図１】
2007256611.tif 000003
【図２】
2007256611.tif 000004
【図３】
2007256611.tif 000005
【図４】
2007256611.tif 000006
【図５】
2007256611.tif 000007
【図６】
2007256611.tif 000008
【図７】
2007256611.tif 000009